(57)【特許請求の範囲】
【請求項１】
リリース本体を据え付け部に自立させ、支持杆締着翼を据え付け面から所定の高さに設定する脚部を設けると共に、水道用メーター端部の締着着合部にメーター着合端を受けて支持する支持舌片を設けた一対のリリースホルダーを、ホルダー両側部に設けた支持杆締着翼に所定長さの支持杆を着脱可能に締着することにより対峙して連結固定して成る水道用メーターリリース
【請求項２】
水道用メーター端部を押圧してメーターを挟着するリリースホルダーの締着機構部を、スプリングによって前進方向に付勢された締着筒を、操作ハンドルと掛合するカム機構もしくはストッパーによって後退させ、対峙するホルダーの間にメーターが嵌装されると、カム機構の操作もしくはストッパーの解除によるスプリングの付勢力によって締着筒が前進してメーターが締着固定される構成として、メーターの両端に、リリース本体とは別体に構成され、逆止弁ユニット等、水道配管との接続調整機構を内蔵してユニット化した一対のアタッチメントを、リリースホルダーに着脱可能に装着するように構成した請求項１記載の水道用メーターリリース
【請求項３】
リリースホルダー両側部に設ける支持杆締着翼の突出長さを、水道用メーターの設置環境に応じて一方を長く、一方を短く構成した請求項１又は請求項２記載の水道用メーターリリース
【発明の詳細な説明】
【０００１】
【産業上の利用分野】
本発明は、集合住宅など設置環境から設置スペースや配管方向等が制約されている場所に水道用メーターを設置する場合に用いる水道用メーターの配管連結リリースに関するものである。
【０００２】
【従来の技術】
従来、この種の配管連結リリースは、水道用メーターを両側から保持するホルダー部が立ち上げられたリリース本体の両端に固定され、リリース本体は特定方向に取付ける固定された形状に構成したものが用いられ、両側の構造配管にメーターが連結されることによりメーターが構造配管により支持固定されるようになっていた。
【０００３】
また、メーターがリリースにより床面や壁面に支持固定される場合にも、水道用メーターを嵌着する受けホルダーと締付けホルダーは、リリース体からは容易に取外しのできない構成となっており、両ホルダーをリリース体に取り付けたものが、ホルダーユニットとして構成されるようになっている。
【０００４】
更に、両ホルダーにおいて水道用メーター端部を固定的に嵌入着合させるように構成されているため、逆止弁ユニット等の配管連結調整機構が両ホルダーに内蔵されて一体に構成されてきている。
【０００５】
【発明が解決しようとする課題】
以上のように従来の水道用メーターの配管連結リリースは、リリース体の一端に前進後退の作動をする締付けホルダーベース、他端にこれと対峙する受けホルダーベースを着脱可能に嵌着すると共に、水道用メーターの一端を受けホルダーベースに着合し、他端を締付けホルダーベースに嵌入して締付けホルダーベースを前進させることにより、受けホルダーと締付けホルダーの間に水道用メーターを挟着することが目的とされているため、ホルダー構造自体を壁面や床面に対して安定した形態で取付ることができなかった。
【０００６】
また、従来のメーターリリースは、ホルダーを固定するベース体が本体として構成され、リリースホルダーがこれに取り付けられる構成となっているため、ベース体の形状や構成が固定的となり、設定環境に対応できないという問題を残している。
【０００７】
更に、ホルダー構造がメーターを両端から挟着して締付け機構を推進させて締付け固定する構造となっているため、挟着作業中に重量のあるメーターを支持する拠点がなく、メーターの着合芯をホルダー芯に合わせるのに多大な労力と熟練が必要となっている。
【０００８】
【課題を解決するための手段】
本発明は上記した問題に対応しようとするものであり、一対のリリースホルダーをそれぞれ脚部によって自立させると共に、その両側部に設けた支持杆締着翼に所定長さの支持杆によって連結してリリース本体を構成するようにして支持杆もホルダーも選択可能な部材として構成した。
【０００９】
リリースホルダーのメーター端部を受ける締着着合部には、メーター着合端を受けて支持する着合端の下面形状と接合する支持舌片を設けて着合するメーター端部を上方から落とし込むことにより、着合芯をホルダー芯に接合できるようにした。
【００１０】
更に、メーターの両端に、リリース本体とは別体に構成され、逆止弁ユニット等、水道配管との接続調整機構を内蔵してリリースホルダーに着接する一対のアタッチメントを装着するように構成し、リリースホルダーの構造構成をアタッチメントに分散してリリース全体の構成に流動的な対応可能性を与えるようにした。
【００１１】
水道用メーター端部を押圧してメーターを挟着するリリースホルダーの締着機構部を、スプリングによって前進方向に付勢された締着筒を、操作ハンドルと掛合するカム機構もしくはストッパーによって後退させ、対峙するホルダーの間にメーターが嵌装されると、カム機構の操作もしくはストッパーの解除によるスプリングの付勢力によって締着筒が前進してメーターが締着固定される構成として、前記リリース本体と別体に構成され、着脱可能なアタッチメントとしてユニット化されたアタッチメントが嵌装されても、スプリング付勢によって常に押圧力が働くスプリング締着として締着力に弛みが生じないようにした。
【００１２】
また更に、リリースホルダー両側部に設ける支持杆締着翼の突出長さを、水道用メーターの設置環境に応じて一方を長く、一方を短く構成し取付けの安定化と成形の効率化をはかるようにした。締着翼に締着されてリリースホルダーを連結する支持杆は、嵌装する水道用メーターのリリースを軸とする回転を両側から規制するストッパーとしても機能するので支持杆締着翼の突出長さを変化させることにより、嵌装メーターの回転範囲に変化を持たせるものである。
【００１３】
【実施例】
以下、本発明の実施例を図面を参照して説明する。１はリリースホルダーで、上流側ホルダー1aと下流側ホルダー1bの一対から成り、それぞれ両側部には支持杆締着翼11、11が設けられて支持杆２、２の締着により着脱可能に連結されている。
【００１４】
上流側ホルダー1aは、下端部に本体を支持して自立する脚部12、内側端はメーターＡの端部に着合する嵌着部13を設けるとともに、その背後に止水栓ユニット３が嵌装され、外側端には配管連結構造部14が設けられ、給水配管と連結するようになっている。
【００１５】
下流量側ホルダー1bは、ホルダー1aと同様に下端部に本体を支持して自立する脚部12、内側端にメーターＡの端部に着合する嵌着部13が設けられると共に、嵌着部13にはメーターＡの端部着合端に対して前進後退の作動をする締着筒４が嵌装され、外側端には配管連結構造部14が設けられ、給水支管と連結するようになっている。
【００１６】
締着筒４はスプリング41によって常に前進方向に付勢され、操作ハンドル43と掛合するカム機構42もしくはストッパー44によって後退させ、ホルダー1aと1bの間にメーターＡが嵌装されると、カム機構の操作もしくはストッパー解除ボタン45の操作でスプリング41の圧縮制御が解除によるスプリングの付勢力によって締着筒４が前進してメーターが締着固定される。
【００１７】
即ち、ハンドル43の回動によって締着筒４がストッパー44の位置まで後退するとストッパー44が締着筒４の先端に係止してスプリングの付勢力が抑止されるが、メーターを嵌装して解除ボタン45を押せばストッパーの係止が外れて一気に締着筒が前進する。この解除ボタン45をホルダー1bのメーターＡ着合嵌着部13に設定し、メーターＡの落とし込み嵌装によりボタン45が圧接されてストッパーの係止が外れるように構成すれば、メーターの嵌装と同時にジャンプ締着を行なうことができる。なお、カム機構42だけでも締着筒の後退状態を維持できるので、必ずしもストッパーの係止によるジャンプ締着を行なわなくても良いことは勿論である。
【００１８】
ホルダー1a、1bのメーターＡ着合嵌着部13、13には、メーター着合端を受けて支持する着合端15の下面と接合する支持舌片５が設られ、着合するメーター端部を上方から落とし込むことにより、着合芯をホルダー芯に接合できるようになっている。
支持舌片５は嵌着部13の下端両側からメーター着合端底部を掬うような２片の舌片によって構成し中央部を空間として構成すれば、素材材料も少なく着合端底部との接合密着性も良く構成できる。
【００１９】
また、リリースホルダー1a、1bの支持杆締着翼11、11は、図示の実施例のように翼の突出長さを、メーターＡの仕様やその設置環境に応じて一方を長く、一方を短く構成し、取付けの安定化と成形の効率化をはかるが、平均的なものとしては図４に示すように左右対称の長さとなるものである。
【００２０】
6a、6bはメーターＡの端部に嵌着するアタッチメントで、上流側アタッチメント6aにはパッキン機構61、下流側アタッチメント6bには逆止弁ユニット62が内蔵され、リリースの嵌着部13にはそれぞれのアタッチメントを介して着合されるようになっている。
【００２１】
更に、リリースホルダー間に嵌装する水道用メーターＡの底部や端部を受けて嵌装作業時等におけるメーターの落下を防止する補助支持構造７が、軽量で可塑性のある針金等の線材により構成され、ホルダー両側の連結支持杆２、２に差し渡して構成される。
【００２２】
以上のように構成したメーターリリースは、先ず、メーターＡの長さに対応した支持杆２、２をリリースホルダー1a、1bの支持杆締着翼11、11に締着してホルダー1a、1bを連結し、水道用メーターの底部を受ける補助支持構造７を支持杆２、２の間に差し渡す。
【００２３】
リリース設定現場において、ホルダー1aの連結構造部14に給水配管を、ホルダー1bの連結構造部14に給水支管を連結し、ホルダー1a、1bの間に、端部にアタッチメント6a、6bを嵌着したメーターＡを落とし込んで嵌装し、補助支持構造７によってメーターＡの胴部を、支持舌片５によってメーターＡの端部を支持させる。
【００２４】
リリースホルダー1bのカムハンドル43を回動して締着筒４を後退させ、メーターＡをホルダー1a、1b間に嵌装して締着固定すると共に、止水栓ユニット３の開閉ハンドル31を回動して止水栓を開栓すれば、水流はホルダー1aの流路からメーターＡを通過してホルダー1bの流路に流通し、流量等の計測が行われるものである。
【００２５】
なお、交換等のためメーターＡを取り外す場合には、止水栓ユニット３の開閉ハンドル31を回動して止水栓を閉栓し、操作ハンドル43を回動してスプリング41の付勢に抗して締着筒４を後退させメーターＡを取り外す。この場合でも、支持舌片５と補助支持構造７の存在によってメーターＡがリリースから落下することがない。
【００２６】
本発明は以上のように構成したので、リリースホルダーとこれを連結する連結支持杆が、現場で組立て可能な構成部材となり、メーターＡの長さが確定できればリリース本体を嵩張る組立て状態によって搬送する必要がなくなり、作業手順も流動的に行うことができるものである。
【００２７】
更に、メーターホルダーを、ベース体として一体に構成することなく、リリースホルダーとして部品化したので、連結支持杆もステンレス管や角材など自由な選択が可能となり、設定環境に対応した幅広い構成ができるほか、前記したような効果がある。
【００２８】
【図面の簡単な説明】
【図１】本発明の実施例を示すもので、メーターＡをリリース取付け前の配置状態として各部材の要部を断面として示す水道用メーターリリースの全体正面図
【図２】同じく、図１の平面図
【図３】同じく、図１の左側面図
【図４】同じく、リリースホルダーを他の実施例としたリリース全体の左側面図
【符号の説明】
１    リリースホルダー
1a    上流側ホルダー
1b    下流側ホルダー
11    ホルダーの支持杆締着翼
12    ホルダーの自立脚部
13    ホルダーのメーター端部着合嵌着部
14    ホルダーの配管連結構造部
15    メーター着合端
２    ホルダー連結支持杆
３    止水栓ユニット
31    止水栓ユニットの開閉ハンドル
４    ホルダーのメーター締着筒
41    締着筒付勢スプリング
42    締着筒掛合カム機構
43    締着筒進退操作ハンドル
５    メーター着合端下面を支持する支持舌片
6a    上流側アタッチメント
6b    下流側アタッチメント
61    パッキン機構
62    逆止弁ユニット
７    メーター補助支持構造
Ａ    水道用メーター
【図１】
0003542987.tif 000002
【図２】
0003542987.tif 000003
【図３】
0003542987.tif 000004
【図４】
0003542987.tif 000005